(57)【要約】本発明は、前段装置からエラー訂正符号を付加されたデータを伝送されてエラー訂正を行い、エラー訂正後のデータからエラー訂正符号を生成して後段装置に伝送する再生中継方法において、前段装置と自装置間の伝送路のエラーレートを求め、前記自装置と後段装置間の伝送路のエラーレートを求め、前記２つのエラーレートを加算し、加算エラーレートを所定のエラー訂正閾値と比較した結果により、前記加算エラーレートが小さいとき自装置におけるエラー訂正前のデータ及びエラー訂正符号を選択し、前記加算エラーレートが大きいとき自装置におけるエラー訂正後のデータ及びそれから生成したエラー訂正符号を選択して前記後段装置に供給するよう構成することにより、遅延時間を増大させることなく必要なエラー訂正を行い、かつ、伝送品質を確保できる。
2005013542.tif 000002
【特許請求の範囲】
【請求項１】
前段装置からエラー訂正符号を付加されたデータを伝送されてエラー訂正を行い、エラー訂正後のデータからエラー訂正符号を生成して後段装置に伝送する再生中継方法において、
前段装置と自装置間の伝送路のエラーレートを求め、
前記自装置と後段装置間の伝送路のエラーレートを求め、
前記２つのエラーレートを加算し、
加算エラーレートを所定のエラー訂正閾値と比較した結果により、前記加算エラーレートが小さいとき自装置におけるエラー訂正前のデータ及びエラー訂正符号を選択し、前記加算エラーレートが大きいとき自装置におけるエラー訂正後のデータ及びそれから生成したエラー訂正符号を選択して前記後段装置に供給する再生中継方法。
【請求項２】
前段装置からエラー訂正符号を付加されたデータを伝送されてエラー訂正を行い、エラー訂正後のデータからエラー訂正符号を生成して後段装置に伝送する再生中継方法において、
前段装置と自装置間の伝送路で発生したエラーのエラー訂正量を求め、
前記自装置と後段装置間の伝送路で発生したエラーのエラー訂正量を求め、
前記２つのエラー訂正量を加算し、
加算エラー訂正量を所定のエラー訂正閾値と比較した結果により、前記加算エラー訂正量が小さいとき自装置におけるエラー訂正前のデータ及びエラー訂正符号を選択し、前記加算エラー訂正量が大きいとき自装置におけるエラー訂正後のデータ及びそれから生成したエラー訂正符号を選択して前記後段装置に供給する再生中継方法。
【請求項３】
エラー訂正符号を用いてデータのエラー訂正を行う復号手段と、
エラー訂正後のデータからエラー訂正符号を生成する符号手段と、
エラー訂正前のエラーレートを計数するエラーカウント手段と、
後段装置からエラー訂正前のエラーレートを授受する授受手段と、
自装置でのエラーレートと前記通知手段により後段装置から通知されるエラーレートを加算する加算手段と、
加算エラーレートを所定のエラー訂正閾値と比較した結果により、前記加算エラーレートが小さいときエラー訂正前のデータ及びエラー訂正符号を選択し、前記加算エラーレートが大きいときエラー訂正後のデータ及び生成したエラー訂正符号を選択して前記後段装置に供給する選択手段を有する装置。
【請求項４】
エラー訂正符号を用いてデータのエラー訂正を行う復号手段と、
エラー訂正後のデータからエラー訂正符号を生成する符号手段と、
前記復号手段でエラー訂正したエラー訂正量をカウントするエラー訂正量カウント手段と、
後段装置からエラー訂正量を授受する授受手段と、
自装置でのエラー訂正量と前記通知手段により後段装置から通知されるエラー訂正量を加算する加算手段と、
加算エラー訂正量を所定のエラー訂正閾値と比較した結果により、前記加算エラー訂正量が小さいときエラー訂正前のデータ及びエラー訂正符号を選択し、前記加算エラー訂正量が大きいときエラー訂正後のデータ及び生成したエラー訂正符号を選択して前記後段装置に供給する選択手段を有する装置。
【請求項５】
エラー訂正符号を用いてデータのエラー訂正を行う復号手段と、
エラー訂正前のエラーレートを計数するエラーカウント手段と、
前段装置からエラー訂正前のエラーレートを授受する授受手段と、
自装置でのエラーレートと前記通知手段により前段装置から通知されるエラーレートを加算する加算手段と、
加算エラーレートを所定のエラー訂正閾値と比較した結果により、前記加算エラーレートが小さいとき前記前段装置にエラー訂正前のデータ及びエラー訂正符号を選択させ、前記加算エラーレートが大きいとき前記前段装置にエラー訂正後のデータ及び生成したエラー訂正符号を選択させ自装置に供給させる選択命令手段を有する装置。
【請求項６】
エラー訂正符号を用いてデータのエラー訂正を行う復号手段と、
前記復号手段でエラー訂正したエラー訂正量をカウントするエラー訂正量カウント手段と、
前段装置からエラー訂正量を授受する授受手段と、
自装置でのエラー訂正量と前記通知手段により前段装置から通知されるエラー訂正量を加算する加算手段と、
加算エラー訂正量を所定のエラー訂正閾値と比較した結果により、前記加算エラー訂正量が小さいとき前記前段装置にエラー訂正前のデータ及びエラー訂正符号を選択させ、前記加算エラー訂正量が大きいとき前記前段装置にエラー訂正後のデータ及び生成したエラー訂正符号を選択させ自装置に供給させる選択命令手段を有する装置。
【請求項７】
前段装置からエラー訂正符号を付加されたデータを伝送されてエラー訂正を行い、エラー訂正後のデータからエラー訂正符号を生成して後段装置に伝送する再生中継方法において、
前段装置と自装置間の伝送路のエラーレートを求め、
前記エラーレートを所定のエラー訂正閾値と比較した結果により、前記エラーレートが小さいとき前記前段装置で訂正率の小さなエラー訂正符号を選択して符号化すると共に自装置で訂正率の小さなエラー訂正符号を選択して復号化し、前記エラーレートが大きいとき前記前段装置で訂正率の大きなエラー訂正符号を選択して符号化すると共に自装置で訂正率の大きなエラー訂正符号を選択して復号化する再生中継方法。
【請求項８】
前段装置からエラー訂正符号を付加されたデータを伝送されてエラー訂正を行い、エラー訂正後のデータからエラー訂正符号を生成して後段装置に伝送する再生中継方法において、
前段装置と自装置間の伝送路のエラー訂正量を求め、
前記エラー訂正量を所定のエラー訂正閾値と比較した結果により、前記エラー訂正量が小さいとき前記前段装置で訂正率の小さなエラー訂正符号を選択して符号化すると共に自装置で訂正率の小さなエラー訂正符号を選択して復号化し、前記エラー訂正量が大きいとき前記前段装置で訂正率の大きなエラー訂正符号を選択して符号化すると共に自装置で訂正率の大きなエラー訂正符号を選択して復号化する再生中継方法。
【請求項９】
データのエラー訂正を行う訂正率の異なる複数の復号手段と、
エラー訂正前のエラーレートを計数するエラーカウント手段と、
前記エラーレートを所定のエラー訂正閾値と比較した結果により、前記複数の復号手段から１つを選択する選択手段と、
前記復号手段の選択に対応して前段装置に訂正率の異なる複数の符号手段から１つを選択させる選択命令手段を有する装置。
【請求項１０】
データのエラー訂正を行う訂正率の異なる複数の復号手段と、
前記複数の復号手段から選択手段が選択した復号手段でエラー訂正したエラー訂正量をカウントするエラー訂正量カウント手段と、
前記エラー訂正量を所定のエラー訂正閾値と比較した結果により、前記複数の復号手段から１つを選択する選択手段と、
前記復号手段の選択に対応して前段装置に訂正率の異なる複数の符号手段から１つを選択させる選択命令手段を有する装置。
【請求項１１】
データのエラー訂正を行う訂正率の異なる複数の復号手段と、
エラー訂正前のエラーレートを計数するエラーカウント手段と、
前記エラーレートを所定のエラー訂正閾値と比較した結果により、前記複数の復号手段から１つを選択する比較選択手段と、
前記エラーレートを前段装置に通知する通知手段を有し、
前記通知手段により通知されたエラーレートを所定のエラー訂正閾値と比較させ前段装置の複数の符号手段から１つを選択させる装置。
【請求項１２】
データのエラー訂正を行う訂正率の異なる複数の復号手段と、
前記複数の復号手段から比較選択手段が選択した復号手段でエラー訂正したエラー訂正量をカウントするエラー訂正量カウント手段と、
前記エラー訂正量を所定のエラー訂正閾値と比較した結果により、前記複数の復号手段から１つを選択する比較選択手段と、
前記エラー訂正量を前段装置に通知する通知手段を有し、
前記通知手段により通知されたエラー訂正量を所定のエラー訂正閾値と比較させ前段装置の複数の符号手段から１つを選択させる装置。
【請求項１３】
請求項３乃至６のいずれかに記載の再生中継装置が複数台縦続接続された伝送システムの再生中継方法において、
隣接する再生中継装置間のエラーレートを求め、
最もエラーレートの高い区間と、これに隣接する区間のエラーレートを合算し、
合算エラーレートが前記エラー訂正閾値以下の場合に、前記最もエラーレートの高い区間とこれに隣接する区間を１つの区間にまとめ、その間の再生中継装置における復号化及び符号化を止める再生中継方法。
【発明の詳細な説明】
【技術分野】  本発明は、再生中継方法及びその装置に関し、光伝送システムで信号の再生中継を行う再生中継方法及びその装置に関する。
【背景技術】  本発明は、主にＤＷＤＭ（Ｄｅｎｓｅ  Ｗａｖｅｌｅｎｇｔｈ  Ｄｉｖｉｓｉｏｎ  Ｍｕｌｔｉｐｌｅｘｅｒ：高密度波長分割多重）システムに代表される光伝送システムにおいて用いられる。
近年、通信トラフィックの増大による伝送装置の大容量化、長距離化は目覚しく、波長多重による効率的な光伝送システムが実用化されている。この波長多重伝送では光増幅器によるノイズの混入、長距離伝送による光分散や偏光等の諸特性の影響により光劣化が著しく、高価な補償器や低ノイズ増幅器を用いる代わりに冗長ビットを付加して符号化し、受信側で復号するエラー訂正機能が用いられるようになって来た。
エラー訂正によって改善されるＳ／Ｎ比をコーディング・ゲインと一般に呼ぶ。エラー訂正にはその符号則や冗長ビットの大小によってさまざまな種類が開発されており、それぞれ利点や欠点があるが、一般的にコーディング・ゲインが大きい、すなわちエラー訂正能力の高い方式ほど冗長ビットが大きい、回路規模が大きい、遅延時間が大きい、消費電力が大きいという傾向がある。
特に、最近の伝送容量の向上は目覚ましく１０Ｇｂｉｔ／ｓ，４０Ｇｂｉｔ／ｓという伝送容量が実用化されてきており、冗長ビット、回路規模、回路遅延、消費電力それぞれが小さく、コーディング・ゲインが大きいエラー訂正方式が求められてきている。
また、更に大容量の信号を複数のルートに分割して伝送し伝送先で多重して元の信号を再生するＩＮＶＥＲＳ−ＭＵＸ方式が用いられるようになって来た。この方式では、例えば４０Ｇｂｉｔ／ｓの容量の信号を１０Ｇｂｉｔ／ｓの４本のルートで分割伝送し、再度４０Ｇｂｉｔ／ｓの信号に多重するため、伝送される４ルートの遅延時間の差を最小にする必要があり、各ルートの中継装置数によって増大する遅延時間が問題となる。
図１は、従来の伝送システムの一例のブロック図を示す。同図中、送信側の端局装置１０ではクライアントの信号に対し、符号器１２で冗長ビットを付加して符号化し、電気／光変換部１４で光信号に変換した後、光波長多重装置１６によって多重しネットワーク側の伝送路に送出する。
送出された光多重化信号は、ネットワークの伝送路上に配置された光増幅器（ＩＬＡ）１７１，１７２，１７３によって光レベル再生されて伝送される。また、光波長分離装置１８によって個々の光信号に分離されて、再生中継装置２０へと運ばれる。
再生中継装置２０では光／電気変換部２２で電気に変換した信号を復号器２４で復号してエラー訂正を行い、信号再生部２６で再生する。その後、符号器２８で再度冗長ビットを付加して符号化し、電気／光変換部３０で光信号に変換したのち、光波長多重装置３２によって多重し、ネットワーク側の伝送路に送出する。これを繰り返して遠方の端局装置３４まで信号を伝達する。受信した端局装置ではエラー訂正後、クライアントへの送信信号とする。
ところで、特許文献１には、受光素子で電気信号に変換した信号を比較器で２値化してｎチャネルに分離し、各チャネルの２値信号それぞれを誤り訂正回路で誤り訂正し、各チャネルのエラー数をカウントした総エラー数を閾値制御回路に供給して、閾値制御回路において閾値発生回路に比較器で使用する複数の閾値を発生させ、各閾値に対する総エラー数から最適な閾値を決定することが記載されている。
【特許文献１】      特許２０００−３４１３４４号公報
従来の伝送システムでは伝送路品質に関わらず一定のエラー訂正能力を持つ復号器を各再生中継装置および端局装置に具備していたため、エラーの少ない区間においても信号が復号器を通ることとなり、復号器及び符号器による信号遅延が増大する問題があった。
【発明の開示】
本発明は、遅延時間を増大させることなく必要なエラー訂正を行い、かつ、伝送品質を確保できる再生中継方法及びその装置を提供することを総括的な目的とする。
この目的を達成するため、本発明は、前段装置からエラー訂正符号を付加されたデータを伝送されてエラー訂正を行い、エラー訂正後のデータからエラー訂正符号を生成して後段装置に伝送する再生中継方法において、前段装置と自装置間の伝送路のエラーレートを求め、前記自装置と後段装置間の伝送路のエラーレートを求め、前記２つのエラーレートを加算し、加算エラーレートを所定のエラー訂正閾値と比較した結果により、前記加算エラーレートが小さいとき自装置におけるエラー訂正前のデータ及びエラー訂正符号を選択し、前記加算エラーレートが大きいとき自装置におけるエラー訂正後のデータ及びそれから生成したエラー訂正符号を選択して前記後段装置に供給するよう構成する。
このような中継方法によれば、遅延時間を増大させることなく必要なエラー訂正を行い、かつ、伝送品質を確保できる。
【図面の簡単な説明】  図１は、従来の伝送システムの一例のブロック図である。
図２は、本発明の中継方法の第１実施例の構成図である。
図３は、伝送信号のフレームフォーマットの一実施例を示す図である。
図４は、エラー検出符号ＢＩＰ８の生成と格納を説明するための図である。
図５は、本発明の中継方法の第２実施例の構成図である。
図６は、本発明の中継方法の第３実施例の構成図である。
図７は、本発明の中継方法の第４実施例の構成図である。
図８は、本発明の中継方法の第５実施例の構成図である。
図９は、本発明の中継方法の第６実施例の構成図である。
図１０は、本発明の中継方法の第７実施例の構成図である。
図１１は、本発明の中継方法の第８実施例の構成図である。
図１２は、光伝送システムの一実施例の構成図である。
図１３は、監視装置８１０が実行する判定処理の一実施例のフローチャートである。
【発明を実施するための最良の形態】  以下、本発明の実施例を図面に基づいて説明する。
図２は、本発明の中継方法の第１実施例の構成図を示す。同図中、端局装置４０の符号部４１においてエラー訂正用の冗長ビットであるエラー訂正符号を付加し、更にＯＨ送信部４２でオーバーヘッドを付加した信号が上り回線により再生中継器４４に伝送される。
図３に伝送信号のフレームフォーマットの一実施例を示す。これは、ＩＴＵ−Ｔ  Ｇ７０９に勧告されているようなデジタルラッパのフレーム構成を示しており、伝送信号は４０８０×４バイト構成であり、５６（＝１４×４）バイトのオーバーヘッドＯＨと、１５２９６（＝３８２４×４）バイトのデータ領域ＯＰＵｋと、１０２４バイトのエラー訂正符号ＦＥＣ（Ｆｏｒｗａｒｄ  Ｅｒｒｏｒ  Ｃｏｒｒｅｃｔｉｏｎ）より構成されている。
オーバーヘッドの第１行の第９カラム（バイト）にはエラー検出符号ＢＩＰ−８（Ｂｉｔ  Ｉｎｔｅｒｌｅａｖｅｄ  Ｐａｒｉｔｙ−ｌｅｖｅｌ８）が格納され、第１０カラムには後方エラー情報ＢＥＩ（Ｂａｃｋｗａｒｄ  Ｅｒｒｏｒ  Ｉｎｄｉｃａｔｉｏｎ）と前方エラー情報ＦＥＩ（Ｆｏｒｗａｒｄ  Ｅｒｒｏｒ  Ｉｎｄｉｃａｔｉｏｎ）が格納され、第１３カラムには後方エラー訂正情報ＢＣＩ（Ｂａｃｋｗａｒｄ  Ｃｏｒｒｅｃｔｉｏｎ  Ｉｎｄｉｃａｔｉｏｎ）と前方エラー訂正情報ＦＣＩ（Ｆｏｒｗａｒｄ  Ｃｏｒｒｅｃｔｉｏｎ  Ｉｎｄｉｃａｔｉｏｎ）が格納され、１４カラムには制御情報ＣＭＤが格納される。
エラー検出符号ＢＩＰ８は、図４に示すように、フレームｉのデータ領域（ＯＰＵｋ）から演算したパリティ値を２フレーム後のフレームｉ＋２のオーバーヘッドに格納している。また、エラー訂正符号ＦＥＣは、フレームｉのデータ領域ＯＰＵｋのデータから演算した例えばリードソロモン符号またはＢＣＨ（Ｂｏｓｅ  Ｃｈａｕｄｈｕｒｉ  Ｈｏｃｑｕｅｎｇｈａｍ）符号であり、当該フレームｉに格納している。
図２に示す再生中継器４４のＯＨ受信部４５では受信フレームのオーバーヘッドを終端し、オーバーヘッド内のエラー検出符号ＢＩＰ−８と２フレーム分先行するフレームのデータ領域ＯＰＵｋのデータとを用いてエラー検出を行ってエラーカウント部４６に供給する。また、データ領域ＯＰＵｋのデータとエラー訂正符号ＦＥＣを復号部４７及び選択部４９に供給する。
復号部４７はエラー訂正符号ＦＥＣを用いてデータ領域ＯＰＵｋのデータのエラー訂正を行ってデータを復号化し、更にタイミング再生及び波形整形等を行う。エラー訂正されたデータ（データ領域ＯＰＵｋに対応）は符号部４８で再び符号化されてエラー訂正符号ＦＥＣが生成されたのち選択部４９に供給される。
エラーカウント部４６は、ＯＨ受信部４５から供給されるエラー検出結果から端局装置４０と再生中継器４４間の伝送路のエラーレートを計算して加算器５１に供給する。ＯＨ受信部５２では下り回線の受信フレームのオーバーヘッドを終端して、オーバーヘッド内の後方エラー情報ＢＥＩを取り出す。後方エラー情報ＢＥＩは再生中継器４４と端局装置５４間の伝送路のエラーレートであり、加算器５１に供給される。
加算器５１は端局装置４０と再生中継器４４間の伝送路のエラーレートと、再生中継器４４と端局装置５４間の伝送路のエラーレートとの合計を閾値判定部５３に供給する。閾値判定部５３は、予め設定されている端局装置５４の復号部５７におけるエラー訂正能力によって決定されるエラー訂正閾値と、加算器５１から渡された合計エラーレートを比較し、閾値を超えていなければ選択部４９に対して、復号部４７及び符号部４８をスルーするように信号ルートを選択させ、閾値を超えていれば選択部４９に対して、復号部４７及び符号部４８を通るように信号ルートを選択させるように指示する。
選択部４９から出力されるデータ領域ＯＰＵｋのデータとエラー訂正符号ＦＥＣはＯＨ送信部５０でオーバーヘッドを付加され、上り回線により端局装置５４に伝送される。
端局装置５４のＯＨ受信部５５では受信フレームのオーバーヘッドを終端し、オーバーヘッド内のエラー検出符号ＢＩＰ−８と２フレーム分先行するフレームのデータ領域ＯＰＵｋのデータとを用いてエラー検出を行ってエラーカウント部５６に供給する。また、データ領域ＯＰＵｋのデータとエラー訂正符号ＦＥＣを復号部５７に供給する。
復号部５７はエラー訂正符号ＦＥＣを用いてデータ領域ＯＰＵｋのデータのエラー訂正を行ってデータを復号化し、更にタイミング再生及び波形整形等を行う。
エラーカウント部５６は、ＯＨ受信部５５から供給されるエラー検出結果から再生中継器４４と端局装置５４間の伝送路のエラーレートを計算してＯＨ送信部５８に供給する。ＯＨ送信部５８では下り回線の送信フレームのオーバーヘッドにおける後方エラー情報ＢＥＩにエラーカウント部５６から供給されるエラーレートを格納し下り回線により端局装置再生中継器４４に伝送する。
このように、端局装置４０と再生中継器４４間の伝送路のエラーレートと、再生中継器４４と端局装置５４間の伝送路のエラーレートとの合計を閾値判定部５３にて、予め設定されている復号部５７におけるエラー訂正能力によって決定されるエラー訂正閾値と比較し、エラー訂正閾値を超えていなければ選択部４９に対して、復号部４７及び符号部４８をスルーするように信号ルートを選択させることにより、端局装置４０から端局装置５４までの伝送区間のエラーを端局装置４０，５４のエラー訂正機能で訂正することとなり、再生中継器４４の復号部４７，符号部４８を信号が通らないことにより、信号の遅延を最小にすることが可能となる。
なお、上記実施例では、再生中継器４４が端局装置４０，５４に接続されているが、端局装置の代りに再生中継器に接続される構成であっても良い。
図５は、本発明の中継方法の第２実施例の構成図を示す。同図中、端局装置１４０の符号部１４１においてエラー訂正用の冗長ビットであるエラー訂正符号を付加し、更にＯＨ送信部１４２でオーバーヘッドを付加した信号が上り回線により再生中継器１４４に伝送される。
再生中継器１４４のＯＨ受信部１４５では受信フレームのオーバーヘッドを終端し、図３に示すフレームフォーマットの伝送信号のうちデータ領域ＯＰＵｋのデータとエラー訂正符号ＦＥＣを復号部１４７及び選択部１４９に供給する。
復号部１４７はエラー訂正符号ＦＥＣを用いてデータ領域ＯＰＵｋのデータのエラー訂正を行ってデータを復号化し、更にタイミング再生及び波形整形等を行う。このとき、エラー訂正部分がエラー訂正量カウント部１４６に供給される。エラー訂正されたデータ（データ領域ＯＰＵｋに対応）は符号部１４８で再び符号化されてエラー訂正符号ＦＥＣが生成されたのち選択部１４９に供給される。
エラー訂正量カウント部１４６は、復号部１４７から供給されるエラー訂正部分のビット数を計算して、端局装置１４０と再生中継器１４４間の伝送路で発生したエラー訂正ビット数を加算器１５１に供給する。また、ＯＨ受信部１５２では下り回線の受信フレームのオーバーヘッドを終端して、オーバーヘッド内の後方エラー訂正情報ＢＣＩを取り出す。後方エラー訂正情報ＢＣＩは再生中継器１４４と端局装置１５４間の伝送路におけるエラー訂正ビット数であり、加算器１５１に供給される。
加算器１５１は端局装置１４０と再生中継器１４４間の伝送路のエラー訂正ビット数と、再生中継器１４４と端局装置１５４間の伝送路のエラー訂正ビット数との合計を閾値判定部１５３に供給する。閾値判定部１５３は、予め設定されている端局装置１５４の復号部１５７におけるエラー訂正能力によって決定されるエラー訂正閾値と、加算器１５１から渡された合計エラー訂正ビット数を比較し、閾値を超えていなければ選択部１４９に対して、復号部１４７及び符号部１４８をスルーするように信号ルートを選択させ、閾値を超えていれば選択部１４９に対して、復号部１４７及び符号部１４８を通るように信号ルートを選択させるように指示する。
選択部１４９から出力されるデータ領域ＯＰＵｋのデータとエラー訂正符号ＦＥＣはＯＨ送信部１５０でオーバーヘッドを付加され、上り回線により端局装置１５４に伝送される。
端局装置１５４のＯＨ受信部１５５では受信フレームのオーバーヘッドを終端し、図３に示すフレームフォーマットの伝送信号のうちデータ領域ＯＰＵｋのデータとエラー訂正符号ＦＥＣを復号部１５７に供給する。
復号部１５７はエラー訂正符号ＦＥＣを用いてデータ領域ＯＰＵｋのデータのエラー訂正を行ってデータを復号化し、更にタイミング再生及び波形整形等を行う。このとき、エラー訂正部分がエラー訂正量カウント部１５６に供給される。
エラー訂正量カウント部１５６は、復号部１５７から供給されるエラー訂正部分のビット数を計算して、再生中継器１４４と端局装置１５４間の伝送路で発生したエラー訂正ビット数をＯＨ送信部１５８に供給する。ＯＨ送信部１５８では下り回線の送信フレームのオーバーヘッドにおける後方エラー訂正情報ＢＣＩにエラー訂正量カウント部１５６から供給されるエラー訂正ビット数を格納し下り回線により端局装置再生中継器１４４に伝送する。
このように、端局装置１４０と再生中継器１４４間の伝送路のエラー訂正量と、再生中継器１４４と端局装置１５４間の伝送路のエラー訂正量との合計を閾値判定部１５３にて、予め設定されている復号部１５７におけるエラー訂正能力によって決定されるエラー訂正閾値と比較し、エラー訂正閾値を超えていなければ選択部１４９に対して、復号部１４７及び符号部１４８をスルーするように信号ルートを選択させることにより、端局装置１４０から端局装置１５４までの伝送区間のエラーを端局装置１４０，１５４のエラー訂正機能で訂正することとなり、再生中継器１４４の復号部１４７，符号部１４８を信号が通らないことにより、信号の遅延を最小にすることが可能となる。
なお、上記実施例では、再生中継器１４４が端局装置１４０，１５４に接続されているが、端局装置の代りに再生中継器に接続される構成であっても良い。
図６は、本発明の中継方法の第３実施例の構成図を示す。この実施例の第１実施例との違いは、閾値判定部を後段の端局装置に設け、その判定結果を再生中継器に戻し、選択部の制御を行う点である。
同図中、端局装置２４０の符号部２４１においてエラー訂正用の冗長ビットであるエラー訂正符号を付加し、更にＯＨ送信部２４２でオーバーヘッドを付加した信号が上り回線により再生中継器２４４に伝送される。
再生中継器２４４のＯＨ受信部２４５では図３に示すフォーマットの受信フレームのオーバーヘッドを終端し、オーバーヘッド内のエラー検出符号ＢＩＰ−８と２フレーム分先行するフレームのデータ領域ＯＰＵｋのデータとを用いてエラー検出を行ってエラーカウント部２４６に供給する。また、データ領域ＯＰＵｋのデータとエラー訂正符号ＦＥＣを復号部２４７及び選択部２４９に供給する。
復号部２４７はエラー訂正符号ＦＥＣを用いてデータ領域ＯＰＵｋのデータのエラー訂正を行ってデータを復号化し、更にタイミング再生及び波形整形等を行う。エラー訂正されたデータ（データ領域ＯＰＵｋに対応）は符号部２４８で再び符号化されてエラー訂正符号ＦＥＣが生成されたのち選択部２４９に供給される。
エラーカウント部２４６は、ＯＨ受信部２４５から供給されるエラー検出結果から端局装置２４０と再生中継器２４４間の伝送路のエラーレートを計算してＯＨ送信部２５０に供給する。
ＯＨ受信部２５２では下り回線の受信フレームのオーバーヘッドを終端して、オーバーヘッド内の制御情報ＣＭＤを取り出す。制御情報ＣＭＤは選択部２４９に復号部２４７及び符号部２４８をスルーする信号ルートと、復号部２４７及び符号部２４８を通る信号ルートとのいずれかを選択させる命令であり、選択部２４９はこの命令に従って、いずれか一方の信号ルートを選択してＯＨ送信部２５０に供給する。
選択部２４９から出力されるデータ領域ＯＰＵｋのデータとエラー訂正符号ＦＥＣはＯＨ送信部２５０に供給され、ＯＨ送信部２５０ではオーバーヘッドにおける前方エラー情報ＦＥＩにエラーカウント部２４６から供給されるエラーレートを格納して、上り回線を端局装置２５４に伝送する。
端局装置２５４のＯＨ受信部２５５では受信フレームのオーバーヘッドを終端し、オーバーヘッド内のエラー検出符号ＢＩＰ−８と２フレーム分先行するフレームのデータ領域ＯＰＵｋのデータとを用いてエラー検出を行ってエラーカウント部２５６に供給する。また、データ領域ＯＰＵｋのデータとエラー訂正符号ＦＥＣを復号部２５７に供給する。更に、オーバーヘッド内の前方エラー情報ＦＥＩ（端局装置２４０と再生中継器２４４間の伝送路のエラーレート）を取り出して加算器２５９に供給する。
復号部２５７はエラー訂正符号ＦＥＣを用いてデータ領域ＯＰＵｋのデータのエラー訂正を行ってデータを復号化し、更にタイミング再生及び波形整形等を行う。
エラーカウント部２５６は、ＯＨ受信部２５５から供給されるエラー検出結果から再生中継器２４４と端局装置２５４間の伝送路のエラーレートを計算して加算器２５９に供給する。
加算器２５９は、端局装置２４０と再生中継器２４４間の伝送路のエラーレートと、再生中継器２４４と端局装置２５４間の伝送路のエラーレートとの合計を閾値判定部２６０に供給する。
閾値判定部２６０は、予め設定されている端局装置２５４の復号部２５７におけるエラー訂正能力によって決定されるエラー訂正閾値と、加算器２５９から渡された合計エラーレートを比較し、閾値を超えていなければ再生中継器２４４の選択部２４９に対して、復号部２４７及び符号部２４８をスルーするように信号ルートを選択させ、閾値を超えていれば選択部２４９に対して、復号部２４７及び符号部２４８を通るように信号ルートを選択させる命令をＯＨ送信部２６１に供給する。
ＯＨ送信部２６１では下り回線の送信フレームのオーバーヘッドにおける制御情報ＣＭＤに閾値判定部２６０から供給される命令を格納し下り回線により端局装置再生中継器４４に伝送する。
このように、端局装置２４０と再生中継器２４４間の伝送路のエラーレートと、再生中継器２４４と端局装置２５４間の伝送路のエラーレートとの合計が、エラー訂正閾値を超えていなければ選択部２４９に対して、復号部２４７及び符号部２４８をスルーするように信号ルートを選択させることにより、端局装置２４０から端局装置２５４までの伝送区間のエラーを端局装置２４０，２５４のエラー訂正機能で訂正することとなり、再生中継器２４４の復号部２４７，符号部２４８を信号が通らないことにより、信号の遅延を最小にすることが可能となる。
なお、上記実施例では、再生中継器２４４が端局装置２４０，２５４に接続されているが、端局装置の代りに再生中継器に接続される構成であっても良い。
図７は、本発明の中継方法の第４実施例の構成図を示す。この実施例の第２実施例との違いは、閾値判定部を後段の端局装置に設け、その判定結果を再生中継器に戻し、選択部の制御を行う点である。
同図中、端局装置３４０の符号部３４１においてエラー訂正用の冗長ビットであるエラー訂正符号を付加し、更にＯＨ送信部３４２でオーバーヘッドを付加した信号が上り回線により再生中継器３４４に伝送される。
再生中継器３４４のＯＨ受信部３４５では受信フレームのオーバーヘッドを終端し、図３に示すフレームフォーマットの伝送信号のうちデータ領域ＯＰＵｋのデータとエラー訂正符号ＦＥＣを復号部３４７及び選択部３４９に供給する。
復号部３４７はエラー訂正符号ＦＥＣを用いてデータ領域ＯＰＵｋのデータのエラー訂正を行ってデータを復号化し、更にタイミング再生及び波形整形等を行う。このとき、エラー訂正部分がエラー訂正量カウント部３４６に供給される。エラー訂正されたデータ（データ領域ＯＰＵｋに対応）は符号部３４８で再び符号化されてエラー訂正符号ＦＥＣが生成されたのち選択部３４９に供給される。
エラー訂正量カウント部３４６は、復号部３４７から供給されるエラー訂正部分のビット数を計算して、端局装置３４０と再生中継器３４４間の伝送路で発生したエラー訂正ビット数を計算してＯＨ送信部３５０に供給する。
ＯＨ受信部３５２では下り回線の受信フレームのオーバーヘッドを終端して、オーバーヘッド内の制御情報ＣＭＤを取り出す。制御情報ＣＭＤは選択部３４９に復号部３４７及び符号部３４８をスルーする信号ルートと、復号部３４７及び符号部３４８を通る信号ルートとのいずれかを選択させる命令であり、選択部３４９はこの命令に従って、いずれか一方の信号ルートを選択してＯＨ送信部３５０に供給する。
選択部３４９から出力されるデータ領域ＯＰＵｋのデータとエラー訂正符号ＦＥＣはＯＨ送信部３５０に供給され、ＯＨ送信部３５０ではオーバーヘッドにおける前方エラー訂正情報ＦＣＩにエラー訂正量カウント部３４６から供給されるエラー訂正ビット数を格納して、上り回線を端局装置３５４に伝送する。
端局装置３５４のＯＨ受信部３５５では受信フレームのオーバーヘッドを終端し、図３に示すフレームフォーマットの伝送信号のうちデータ領域ＯＰＵｋのデータとエラー訂正符号ＦＥＣを復号部３５７に供給する。更に、オーバーヘッド内の前方エラー訂正情報ＦＣＩ（端局装置３４０と再生中継器３４４間の伝送路のエラー訂正ビット数）を取り出して加算器３５９に供給する。
復号部３５７はエラー訂正符号ＦＥＣを用いてデータ領域ＯＰＵｋのデータのエラー訂正を行ってデータを復号化し、更にタイミング再生及び波形整形等を行う。このとき、エラー訂正部分がエラー訂正量カウント部３５６に供給される。
エラー訂正量カウント部３５６は、ＯＨ受信部３５５から供給されるエラー訂正部分から再生中継器３４４と端局装置３５４間の伝送路のエラー訂正部分のビット数を計算して加算器３５９に供給する。
加算器３５９は、端局装置３４０と再生中継器３４４間の伝送路で発生したエラー訂正ビット数と、再生中継器３４４と端局装置３５４間の伝送路で発生したエラー訂正ビット数との合計を閾値判定部３６０に供給する。
閾値判定部３６０は、予め設定されている端局装置３５４の復号部３５７におけるエラー訂正能力によって決定されるエラー訂正閾値と、加算器３５９から渡された合計エラー訂正ビット数を比較し、閾値を超えていなければ再生中継器３４４の選択部３４９に対して、復号部３４７及び符号部３４８をスルーするように信号ルートを選択させ、閾値を超えていれば選択部３４９に対して、復号部３４７及び符号部３４８を通るように信号ルートを選択させる命令をＯＨ送信部３６１に供給する。
ＯＨ送信部３６１では下り回線の送信フレームのオーバーヘッドにおける制御情報ＣＭＤに閾値判定部３６０から供給される命令を格納し下り回線により端局装置再生中継器４４に伝送する。
このように、端局装置３４０と再生中継器３４４間の伝送路のエラー訂正量と、再生中継器３４４と端局装置３５４間の伝送路のエラー訂正量との合計が、エラー訂正閾値を超えていなければ選択部３４９に対して、復号部３４７及び符号部３４８をスルーするように信号ルートを選択させることにより、端局装置３４０から端局装置３５４までの伝送区間のエラーを端局装置３４０，３５４のエラー訂正機能で訂正することとなり、再生中継器３４４の復号部３４７，符号部３４８を信号が通らないことにより、信号の遅延を最小にすることが可能となる。
なお、上記実施例では、再生中継器３４４が端局装置３４０，３５４に接続されているが、端局装置の代りに再生中継器に接続される構成であっても良い。
図８は、本発明の中継方法の第５実施例の構成図を示す。同図中、端局装置４４０の符号部４４１，４４２それぞれにおいてエラー訂正用の冗長ビットであるエラー訂正符号を付加し、選択部４４３でいずれか一方を選択し、更にＯＨ送信部４４４でオーバーヘッドを付加した信号を上り回線により再生中継器４５０に伝送する。
ここで、符号部４４１，４４２それぞれはデータに対する冗長ビットの割合が３％，７％（もしくは１２％，２５％）と誤り訂正能力が異なる符号化を行う。ここでは、符号部４４１より符号部４４２の誤り訂正能力が大きく、かつ、復号時の遅延時間も大きいものとする。なお、この他にも、符号部４４１，４４２ではリードソロモン符号，ＢＨＣ符号と方式が異なる符号化を行う構成としても良い。
ＯＨ受信部４４５では下り回線の受信フレームのオーバーヘッドを終端して、オーバーヘッド内の制御情報ＣＭＤを取り出す。制御情報ＣＭＤは選択部４４３に符号部４４１，４４２のいずれかを選択させる命令であり、選択部４４３はこの命令に従って、いずれか一方の出力信号を選択してＯＨ送信部４４４に供給する。
再生中継器４５０のＯＨ受信部４４５では図３に示すフォーマットの受信フレームのオーバーヘッドを終端し、オーバーヘッド内のエラー検出符号ＢＩＰ−８と２フレーム分先行するフレームのデータ領域ＯＰＵｋのデータとを用いてエラー検出を行ってエラーカウント部４５２に供給する。また、データ領域ＯＰＵｋのデータとエラー訂正符号ＦＥＣを復号部４５３，４５４に供給する。
復号部４５３，４５４は符号部４４１，４４２それぞれに対応した復号化を行うものであり、復号部４５３，４５４それぞれはエラー訂正符号ＦＥＣを用いてデータ領域ＯＰＵｋのデータのエラー訂正を行ってデータを復号化し、更にタイミング再生及び波形整形等を行う。復号部４５３，４５４それぞれでエラー訂正されたデータ（データ領域ＯＰＵｋに対応）は選択部４５５に供給され、いずれか一方が選択され、符号部４５８で再び符号化されてエラー訂正符号ＦＥＣが生成されたのちＯＨ送信部４５９でオーバーヘッドを付加されて端局装置４６０に伝送される。
エラーカウント部４５２は、ＯＨ受信部４５１から供給されるエラー検出結果から端局装置４４０と再生中継器４５０間の伝送路のエラーレートを計算して閾値判定部４５６に供給する。
閾値判定部４５６は、予め設定されている復号部４５３におけるエラー訂正能力によって決定されるエラー訂正閾値と、エラーカウント部４５２のエラーレートを比較し、閾値を超えていなければ復号部４５３を選択させ、閾値を超えていれば復号部４５４を選択させる命令を選択部４５５及びＯＨ送信部４５７に供給する。
ＯＨ送信部４５７では下り回線の送信フレームのオーバーヘッドにおける制御情報ＣＭＤに閾値判定部４５６から供給される命令を格納し下り回線により端局装置再生中継器４４０に伝送する。
端局装置４６０のＯＨ受信部４６１では受信フレームのオーバーヘッドを終端し、データ領域ＯＰＵｋのデータとエラー訂正符号ＦＥＣを復号部４６２に供給する。復号部４６２はエラー訂正符号ＦＥＣを用いてデータ領域ＯＰＵｋのデータのエラー訂正を行ってデータを復号化し、更にタイミング再生及び波形整形等を行う。
このように、端局装置４４０と再生中継器４５０間の伝送路のエラーレートがエラー訂正閾値を超えていなければ選択部４４３，４５５にて遅延時間が小さい符号部４４１と復号部４５３を選択させ、エラー訂正閾値を超えていればエラー訂正能力が大きく遅延時間が大きい符号部４４２と復号部４５４を選択させることにより、信号の遅延を最小にすることが可能となる。
なお、上記実施例では、再生中継器４５０が端局装置４４０，４６０に接続されているが、端局装置の代りに再生中継器に接続される構成であっても良い。
図９は、本発明の中継方法の第６実施例の構成図を示す。同図中、端局装置５４０の符号部５４１，５４２それぞれにおいてエラー訂正用の冗長ビットであるエラー訂正符号を付加し、選択部５４３でいずれか一方を選択し、更にＯＨ送信部５４４でオーバーヘッドを付加した信号を上り回線により再生中継器４５０に伝送する。
ここで、符号部５４１，５４２それぞれはデータに対する冗長ビットの割合が３％，７％（もしくは１２％，２５％）と誤り訂正能力が異なる符号化を行う。ここでは、符号部５４１より符号部５４２の誤り訂正能力が大きく、かつ、復号時の遅延時間も大きいものとする。なお、この他にも、符号部５４１，５４２ではリードソロモン符号，ＢＨＣ符号と方式が異なる符号化を行う構成としても良い。
ＯＨ受信部５４５では下り回線の受信フレームのオーバーヘッドを終端して、オーバーヘッド内の制御情報ＣＭＤを取り出す。制御情報ＣＭＤは選択部５４３に符号部５４１，５４２のいずれかを選択させる命令であり、選択部５４３はこの命令に従って、いずれか一方の出力信号を選択してＯＨ送信部５４４に供給する。
再生中継器５５０のＯＨ受信部５４５では図３に示すフォーマットの受信フレームのオーバーヘッドを終端し、データ領域ＯＰＵｋのデータとエラー訂正符号ＦＥＣを復号部５５３，５５４に供給する。
復号部５５３，５５４は符号部５４１，５４２それぞれに対応した復号化を行うものであり、復号部５５３，５５４それぞれはエラー訂正符号ＦＥＣを用いてデータ領域ＯＰＵｋのデータのエラー訂正を行ってデータを復号化し、更にタイミング再生及び波形整形等を行う。このとき、復号部５５３，５５４それぞれのエラー訂正部分が選択部５５６に供給され、いずれか一方が選択されてエラー訂正量カウント部５５７に供給される。
復号部５５３，５５４それぞれでエラー訂正されたデータ（データ領域ＯＰＵｋに対応）は選択部５５５に供給され、いずれか一方が選択され、符号部５６０で再び符号化されてエラー訂正符号ＦＥＣが生成されたのちＯＨ送信部５６１でオーバーヘッドを付加されて端局装置５７０に伝送される。
エラー訂正量カウント部５５７は、選択部５５６から供給されるエラー訂正部分のビット数を計算して、端局装置５４０と再生中継器５５０間の伝送路で発生したエラー訂正ビット数を計算して閾値判定部５５８に供給する。
閾値判定部５５８は、予め設定されている復号部５５３におけるエラー訂正能力によって決定されるエラー訂正閾値と、エラー訂正量カウント部５５７のエラー訂正ビット数を比較し、閾値を超えていなければ復号部５５３を選択させ、閾値を超えていれば復号部５５４を選択させる命令を選択部５５５，５５６及びＯＨ送信部５５９に供給する。
ＯＨ送信部５５９では下り回線の送信フレームのオーバーヘッドにおける制御情報ＣＭＤに閾値判定部５５８から供給される命令を格納し下り回線により端局装置再生中継器５４０に伝送する。
端局装置５７０のＯＨ受信部５７１では受信フレームのオーバーヘッドを終端し、データ領域ＯＰＵｋのデータとエラー訂正符号ＦＥＣを復号部５７２に供給する。復号部５７２はエラー訂正符号ＦＥＣを用いてデータ領域ＯＰＵｋのデータのエラー訂正を行ってデータを復号化し、更にタイミング再生及び波形整形等を行う。
このように、端局装置５４０と再生中継器５５０間の伝送路のエラーレートがエラー訂正閾値を超えていなければ選択部５４３，５５５，５５６にて遅延時間が小さい符号部５４１と復号部５５３を選択させ、エラー訂正閾値を超えていればエラー訂正能力が大きく遅延時間が大きい符号部５４２と復号部５５４を選択させることにより、信号の遅延を最小にすることが可能となる。
なお、上記実施例では、再生中継器５５０が端局装置５４０，５７０に接続されているが、端局装置の代りに再生中継器に接続される構成であっても良い。
図１０は、本発明の中継方法の第７実施例の構成図を示す。この実施例の第５実施例との違いは、端局装置にも閾値判定部を設けている点である。同図中、端局装置６４０の符号部６４１，６４２それぞれにおいてエラー訂正用の冗長ビットであるエラー訂正符号を付加し、選択部６４３でいずれか一方を選択し、更にＯＨ送信部６４４でオーバーヘッドを付加した信号を上り回線により再生中継器６５０に伝送する。
ここで、符号部６４１，６４２それぞれはデータに対する冗長ビットの割合が３％，７％（もしくは１２％，２５％）と誤り訂正能力が異なる符号化を行う。ここでは、符号部６４１より符号部６４２の誤り訂正能力が大きく、かつ、復号時の遅延時間も大きいものとする。なお、この他にも、符号部６４１，６４２ではリードソロモン符号，ＢＨＣ符号と方式が異なる符号化を行う構成としても良い。
ＯＨ受信部６４５では下り回線の受信フレームのオーバーヘッドを終端して、オーバーヘッド内の後方エラー情報ＢＥＩを取り出して閾値判定部６４６に供給する。後方エラー情報ＢＥＩは再生中継器６４０と端局装置６５０間の伝送路のエラーレートであり、閾値判定部６４６は、予め設定されている復号部６５３におけるエラー訂正能力によって決定されるエラー訂正閾値とエラーレートを比較し、閾値を超えていなければ選択部６４３に符号部６４１を選択させ、閾値を超えていれば選択部６４３に符号部６４２を選択させる。
再生中継器６５０のＯＨ受信部６５１では図３に示すフォーマットの受信フレームのオーバーヘッドを終端し、オーバーヘッド内のエラー検出符号ＢＩＰ−８と２フレーム分先行するフレームのデータ領域ＯＰＵｋのデータとを用いてエラー検出を行ってエラーカウント部６５２に供給する。また、データ領域ＯＰＵｋのデータとエラー訂正符号ＦＥＣを復号部６５３，６５４に供給する。
復号部６５３，６５４は符号部６４１，６４２それぞれに対応した復号化を行うものであり、復号部６５３，６５４それぞれはエラー訂正符号ＦＥＣを用いてデータ領域ＯＰＵｋのデータのエラー訂正を行ってデータを復号化し、更にタイミング再生及び波形整形等を行う。復号部６５３，６５４それぞれでエラー訂正されたデータ（データ領域ＯＰＵｋに対応）は選択部６５５に供給され、いずれか一方が選択され、符号部６５８で再び符号化されてエラー訂正符号ＦＥＣが生成されたのちＯＨ送信部６５９でオーバーヘッドを付加されて端局装置６６０に伝送される。
エラーカウント部６５２は、ＯＨ受信部６５１から供給されるエラー検出結果から端局装置６４０と再生中継器６５０間の伝送路のエラーレートを計算して閾値判定部６５６及びＯＨ送信部６５７に供給する。
閾値判定部６５６は、予め設定されている復号部６５３におけるエラー訂正能力によって決定されるエラー訂正閾値と、エラーカウント部６５２のエラーレートを比較し、閾値を超えていなければ復号部６５３を選択させ、閾値を超えていれば復号部６５４を選択させる命令を選択部６５５に供給する。
ＯＨ送信部６５７では下り回線の送信フレームのオーバーヘッドにおける後方エラー情報ＢＥＩに閾値判定部６５６から供給されるエラーレートを格納し下り回線により端局装置再生中継器６４０に伝送する。
端局装置６６０のＯＨ受信部６６１では受信フレームのオーバーヘッドを終端し、データ領域ＯＰＵｋのデータとエラー訂正符号ＦＥＣを復号部６６２に供給する。復号部６６２はエラー訂正符号ＦＥＣを用いてデータ領域ＯＰＵｋのデータのエラー訂正を行ってデータを復号化し、更にタイミング再生及び波形整形等を行う。
このように、端局装置６４０と再生中継器６５０間の伝送路のエラーレートがエラー訂正閾値を超えていなければ選択部６４３，６５５にて遅延時間が小さい符号部６４１と復号部６５３を選択させ、エラー訂正閾値を超えていればエラー訂正能力が大きく遅延時間が大きい符号部６４２と復号部６５４を選択させることにより、信号の遅延を最小にすることが可能となる。
なお、上記実施例では、再生中継器６５０が端局装置６４０，６６０に接続されているが、端局装置の代りに再生中継器に接続される構成であっても良い。
図１１は、本発明の中継方法の第８実施例の構成図を示す。この実施例の第６実施例との違いは、端局装置にも閾値判定部を設けている点である。同図中、端局装置７４０の符号部７４１，７４２それぞれにおいてエラー訂正用の冗長ビットであるエラー訂正符号を付加し、選択部７４３でいずれか一方を選択し、更にＯＨ送信部７４４でオーバーヘッドを付加した信号を上り回線により再生中継器７５０に伝送する。
ここで、符号部７４１，７４２それぞれはデータに対する冗長ビットの割合が３％，７％（もしくは１２％，２５％）と誤り訂正能力が異なる符号化を行う。ここでは、符号部７４１より符号部７４２の誤り訂正能力が大きく、かつ、復号時の遅延時間も大きいものとする。なお、この他にも、符号部７４１，７４２ではリードソロモン符号，ＢＨＣ符号と方式が異なる符号化を行う構成としても良い。
ＯＨ受信部７４５では下り回線の受信フレームのオーバーヘッドを終端して、オーバーヘッド内の後方エラー訂正情報ＢＣＩを取り出す。後方エラー訂正情報ＢＣＩは再生中継器７４０と端局装置７５０間の伝送路のエラー訂正ビット数であり、閾値判定部７４６は、予め設定されている復号部７５３におけるエラー訂正能力によって決定されるエラー訂正閾値とエラー訂正ビット数を比較し、閾値を超えていなければ選択部７４３に符号部７４１を選択させ、閾値を超えていれば選択部７４３に符号部７４２を選択させる。
再生中継器７５０のＯＨ受信部７５１では図３に示すフォーマットの受信フレームのオーバーヘッドを終端し、データ領域ＯＰＵｋのデータとエラー訂正符号ＦＥＣを復号部７５３，７５４に供給する。
復号部７５３，７５４は符号部７４１，７４２それぞれに対応した復号化を行うものであり、復号部７５３，７５４それぞれはエラー訂正符号ＦＥＣを用いてデータ領域ＯＰＵｋのデータのエラー訂正を行ってデータを復号化し、更にタイミング再生及び波形整形等を行う。このとき、復号部７５３，７５４それぞれのエラー訂正部分が選択部７５６に供給され、いずれか一方が選択されてエラー訂正量カウント部７５７に供給される。
復号部７５３，７５４それぞれでエラー訂正されたデータ（データ領域ＯＰＵｋに対応）は選択部７５５に供給され、いずれか一方が選択され、符号部７６０で再び符号化されてエラー訂正符号ＦＥＣが生成されたのちＯＨ送信部７６１でオーバーヘッドを付加されて端局装置７５０に伝送される。
エラー訂正量カウント部７５７は、選択部７５６から供給されるエラー訂正部分のビット数を計算して、端局装置７４０と再生中継器７５０間の伝送路で発生したエラー訂正ビット数を計算して閾値判定部７５８に供給する。
閾値判定部７５８は、予め設定されている復号部７５３におけるエラー訂正能力によって決定されるエラー訂正閾値と、エラー訂正量カウント部７５７のエラー訂正ビット数を比較し、閾値を超えていなければ復号部７５３を選択させ、閾値を超えていれば復号部７５４を選択させる命令を選択部７５５，７５６及びＯＨ送信部７５９に供給する。
ＯＨ送信部７５９では下り回線の送信フレームのオーバーヘッドにおける後方エラー訂正情報ＢＣＩにエラー訂正量カウント部７５７から供給されるエラー訂正ビット数を格納し下り回線により端局装置再生中継器７４０に伝送する。
端局装置７７０のＯＨ受信部７７１では受信フレームのオーバーヘッドを終端し、データ領域ＯＰＵｋのデータとエラー訂正符号ＦＥＣを復号部７７２に供給する。復号部７７２はエラー訂正符号ＦＥＣを用いてデータ領域ＯＰＵｋのデータのエラー訂正を行ってデータを復号化し、更にタイミング再生及び波形整形等を行う。
このように、端局装置７４０と再生中継器７５０間の伝送路のエラーレートがエラー訂正閾値を超えていなければ選択部７４３，７５５，７５６にて遅延時間が小さい符号部７４１と復号部７５３を選択させ、エラー訂正閾値を超えていればエラー訂正能力が大きく遅延時間が大きい符号部７４２と復号部７５４を選択させることにより、信号の遅延を最小にすることが可能となる。
なお、上記実施例では、再生中継器７５０が端局装置７４０，７７０に接続されているが、端局装置の代りに再生中継器に接続される構成であっても良い。
ここで、図１２に示すように、端局装置８００，８０１間に、複数の再生中継装置８０２，８０３，８０４，８０５が縦続接続されている光伝送システムにおいて、効率的に遅延時間を短縮するためには、第１〜第４実施例を単に配置するだけでなく、どの区間で信号をスルーするかを監視装置８１０で判定する必要がある。
全ての再生中継装置８０２，８０３，８０４，８０５で復号化及び符号化を行った場合、端局装置８００と再生中継装置８０２間の区間Ａの遅延時間をτ、再生中継装置８０２，８０３間の区間Ｂのエラーレートをα、再生中継装置８０３，８０４間の区間Ｃのエラーレートを２α、再生中継装置８０４，８０５間の区間Ｄのエラーレートを２α、再生中継装置８０５と端局装置８０１間の区間Ｅのエラーレートをαとし、監視装置８１０で判定するエラー訂正閾値を３αとする。
図１３は、監視装置８１０が実行する判定処理の一実施例のフローチャートを示す。同図中、ステップＳ１０でルート上の全ての区間それぞれのエラーレートを測定する。
次に、ステップＳ１２で最もエラーレートの高い区間Ｉを判定する。なお、エラーレートが同一の場合は例えば端局装置８００に近い区間を選ぶ。そして、ステップＳ１４で最もエラーレートが高いと判定した区間Ｉに隣接する２つの区間のうち、エラーレートの高い区間Ｊを判定し、ステップＳ１６で区間Ｉと区間Ｊのエラーレートを合算し、ステップＳ１８で合算エラーレートがエラー訂正閾値（３α）を超えるか否かを判別する。
合算エラーレートがエラー訂正閾値以下の場合はステップＳ２０で区間Ｉと区間Ｊ（または区間Ｋ）を１つの区間にまとめ（区間Ｉ，Ｊ間の再生中継装置で信号をスルー）、ステップＳ１４に進む。
一方、合算エラーレートがエラー訂正閾値を超えた場合は、ステップＳ２２に進み、ステップＳ１８の閾値判定で２回連続して閾値を超えたか否かを判別する。閾値を超えたのが１回の場合にはステップＳ２４に進んで、区間Ｉに隣接する２つの区間のうち、エラーレートの低い区間Ｋを判定し、ステップＳ２６で区間Ｉと区間Ｋのエラーレートを合算し、ステップＳ１８に進んで合算エラーレートがエラー訂正閾値（３α）を超えるか否かを判別する。
ステップＳ２２の判定で２回連続して閾値を超えた場合には、区間Ｉに隣接する区間Ｊまたは区間Ｋをまとめることができないので、区間Ｉを境にしてルートを２分割し、各分割ルートに対してステップＳ１０以降の処理を繰り返すためにステップＳ１０に進む。
ここで、図１３の判定処理を行わずに、例えば、端局装置８００側から順番にエラー訂正閾値を判定すると、区間Ａ，Ｂが新たな区間としてまとめられ（新たな区間のエラーレートは２α）、再生中継装置８０２で復号化及び符号化を止めて信号をスルーすることになり、４つのエラー訂正区間（Ａ＋Ｂ，Ｃ，Ｄ，Ｅ）が必要となる。
これに対し、図１３の判定処理に従った場合、区間Ｂ，Ｃがまとめられ、更に区間Ｄ，Ｅがまとめられるため、３つのエラー訂正区間（Ａ，Ｂ＋Ｃ，Ｄ＋Ｅ）で済み、効率的に遅延時間を短縮することが可能となる。
なお、上記実施例ではエラーレートをエラー訂正閾値と比較しているが、エラーレートの代りにエラー訂正量をエラー訂正閾値と比較する構成であっても良い。
このように、効率化により伝送遅延が少ないネットワークが構成可能となり、複合化及び復号化によるエラー訂正能力を最大限度に使用できる。また、ルート間遅延時間差も軽減することで、大容量の信号を複数のルートに分割して伝送し伝送先で多重して元の信号を再生するＩＮＶＥＲＳＥ−ＭＵＸ方式におけるルート間位相差吸収に必要なメモリ量を削減することもできる。
なお、第１〜第４実施例のいずれかと、第５〜第８実施例のいずれかとを組み合わせても良く、上記実施例に限定されるものではない。
なお、復号部４７，１４７，２５７，３５７，４５３，４５４，５５３，５５４，６５３，６５４，７５３，７５４が請求項記載の復号手段に対応し、符号部４８，１４８，６４１，６４２が符号手段に対応し、エラーカウント部４６，２５６，４５２，６５２がエラーカウント手段に対応し、ＯＨ受信部５２，１５２，２５５，３５５が授受手段に対応し、加算器５１，１５１，２５９，３５９が加算手段に対応し、閾値判定部５３，１５３，２６０，選択手段４９，１４９，４５５，５５５が選択手段に対応し、エラー訂正量カウント部１４６，３５６，５５７，７５７がエラー訂正量カウント手段に対応し、閾値判定部２６０，３６０，４５６，５５８，ＯＨ送信部２６１，３６１，４５７，５５９が選択命令手段に対応し、閾値判定部６５６，７５８，選択部６５５，７５５，７５６が比較選択手段に対応し、ＯＨ送信部６５７，７５９が通知手段に対応する。
【図１】
2005013542.tif 000003
【図２】
2005013542.tif 000004
【図３】
2005013542.tif 000005
【図４】
2005013542.tif 000006
【図５】
2005013542.tif 000007
【図６】
2005013542.tif 000008
【図７】
2005013542.tif 000009
【図８】
2005013542.tif 000010
【図９】
2005013542.tif 000011
【図１０】
2005013542.tif 000012
【図１１】
2005013542.tif 000013
【図１２】
2005013542.tif 000014
【図１３】
2005013542.tif 000015
【国際調査報告】
2005013542.tif 000016
2005013542.tif 000017
2005013542.tif 000018
2005013542.tif 000019